(57)【要約】【課題】本発明は、利用用途に応じたアプリケーションの未使用状況を把握することが可能な情報端末装置および情報配信システムを提供する。【解決手段】情報端末装置１は、液晶表示装置１２ａに画像を表示する表示部２２と、アプリケーションを実行するアプリケーション実行部２８ｂと、監視対象アプリケーションの利用状況を監視するアプリケーション監視部２８ｄ、外部と情報通信を行うための無線通信部２７と、監視対象アプリケーションの未使用状況を登録された通知先に無線通信部２７を介して通知する未使用通知部２８ｅと、を備える。これにより、利用用途に応じたアプリケーションの未使用状況を把握することができる。【選択図】図２
2016091339.tif 000002
【特許請求の範囲】
【請求項１】
表示面に画像を表示する表示部と、
アプリケーションを実行するアプリケーション実行部と、
監視対象アプリケーションの利用状況を監視するアプリケーション監視部と、
外部と情報通信を行うための通信部と、
前記監視対象アプリケーションの未使用状況を登録された通知先に前記通信部を介して通知する未使用通知部と、を備える、
ことを特徴とする情報端末装置。
【請求項２】
請求項１に記載の情報端末装置において、
前記通信部を介して他の情報端末装置の未使用通知部からの通知を受け付けて、通知内容を前記表示部に表示させる通知受付部をさらに備える、
ことを特徴とする情報端末装置。
【請求項３】
請求項２に記載の情報端末装置において、
前記通知受付部は、前記通知内容を前記表示部に表示させた後、通知元に返信メッセージを通知する、
ことを特徴とする情報端末装置。
【請求項４】
請求項１ないし３の何れか一項に記載の情報端末装置において、
前記監視対象アプリケーションごとに前記通知先を対応付ける監視対象設定部をさらに備える、
ことを特徴とする情報端末装置。
【請求項５】
請求項１ないし４の何れか一項に記載の情報端末装置と、
前記情報端末装置から前記通知先への通知を受け付け、前記通知先の前記情報端末装置に通知を配信する配信サーバとを有する、
ことを特徴とする情報配信システム。
【発明の詳細な説明】
【技術分野】
【０００１】
本発明は、タブレット端末等の情報端末装置、および、複数の情報端末装置とメッセージを送受信する配信サーバを有する情報配信システムに関する。
【背景技術】
【０００２】
タブレット端末等の情報端末装置では、各種のアプリケーションプログラム（以下、単に「アプリケーション」と称する。）を、直接またはインターネットを介して、インストール可能なものが知られている（たとえば、特許文献１）。
【０００３】
各種のアプリケーションには、教育用途のもの、娯楽用途のもの、ビジネス用途のもの等、様々なアプリケーションが含まれる。利用者は、目的に応じて、各種のアプリケーションをダウンロードして情報端末装置を使用する。
【先行技術文献】
【特許文献】
【０００４】
【特許文献１】特開２０１２−１７４１７４号公報
【発明の概要】
【発明が解決しようとする課題】
【０００５】
上記の情報端末装置が教育用途として用いられる場合、教材などの学習アプリケーションが情報端末装置にインストールされる。しかしながら、上記の情報端末装置には、学習アプリケーションのほかに任意のアプリケーションをインストールすることができる。利用者が子供である場合、学習意欲が沸かず、学習アプリケーションを利用しないことが起こり得る。
【０００６】
そこで、本発明は、利用用途に応じたアプリケーションの未使用状況を把握することが可能な情報端末装置および情報配信システムを提供することを目的とする。
【課題を解決するための手段】
【０００７】
本発明の第１の態様に係る情報端末装置は、表示面に画像を表示する表示部と、アプリケーションを実行するアプリケーション実行部と、監視対象アプリケーションの利用状況を監視するアプリケーション監視部と、外部と情報通信を行うための通信部と、前記監視対象アプリケーションの未使用状況を登録された通知先に前記通信部を介して通知する未使用通知部と、を備える。
【０００８】
第１の態様に係る情報端末装置によれば、監視対象のアプリケーションの未使用の状況が通知先に通知されるため、通知先として登録された情報端末装置を所有する者は、利用者が監視対象アプリケーションを未使用であることを知ることができる。たとえば、教育用の情報端末装置の場合は、利用者の学習アプリケーションの未使用状況が、親が所有する通知先の情報端末装置に通知される。したがって、親は、利用者の学習状況を把握することができる。これにより、親は、子供に学習アプリケーションの利用を促すなどの対処ができる。
【０００９】
第１の態様に係る情報端末装置において、前記通信部を介して他の情報端末装置の未使用通知部からの通知を受け付けて、通知内容を前記表示部に表示させる通知受付部をさらに備えるよう構成され得る、
第１の態様に係る情報端末装置によれば、たとえば、他の情報端末装置を子供が所有し、当該情報端末装置を親が所有するような場合に、他の情報端末装置における監視対象アプリケーションの未使用状況が当該情報端末装置の表示部に表示される。このため、親は、子供が監視対象アプリケーションを未使用であることを円滑に知ることができる。
【００１０】
また、第１の態様に係る情報端末装置において、前記通知受付部は、前記通知内容を前記表示部に表示させた後、通知元に返信メッセージを通知するよう構成され得る。こうすると、上記のように他の情報端末装置を子が所有し、当該情報端末装置を親が所有するような場合に、他の情報端末装置から監視対象アプリケーションが未使用であることが通知されると、当該情報端末装置から返信メッセージが利用者の情報端末装置に通知される。これにより、親は、子供に対して、円滑に、監視対象アプリケーションの利用を促すことができる。
【００１１】
また、第１の態様に係る情報端末装置において、前記監視対象アプリケーションごとに前記通知先を対応付ける監視対象設定部をさらに備えるよう構成され得る。こうすると、監視対象アプリケーションごとに未使用状況を通知する通知先を変更することができる。これにより、たとえば、教育用の情報端末装置の場合は、学習アプリケーションの種類や重要度などに応じて、通知する相手を変更することによって、利用者の学習状況を適切に管理することができる。
【００１２】
本発明の第２の態様は、情報配信システムに関する。第２の態様に係る情報配信システムは、上記第１の態様に記載の情報端末装置と、前記情報端末装置から前記通知先への通知を受け付け、前記通知先の前記情報端末装置に通知を配信する配信サーバとを有する。
【００１３】
第２の態様に係る情報配信システムによれば、上記第１の態様の情報端末装置と同様の作用および効果が奏され得る。
【発明の効果】
【００１４】
以上のとおり、本発明によれば、利用用途に応じたアプリケーションの未使用状況を把握することが可能な情報端末装置および情報配信システムを提供することができる。
【００１５】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１６】
【図１】実施の形態に係る情報端末装置の外観を示す図である。
【図２】実施の形態に係る情報端末装置と配信サーバの構成を示すブロック図である。
【図３】実施の形態に係る監視対象テーブルと個体識別番号管理テーブルの構成を示すブロック図である。
【図４】実施の形態に係る親モードのホーム画面例、子モードのホーム画面例および学習アプリケーションの画面例を示す図である。
【図５】実施の形態に係るアプリケーション一覧画面例を示す図である。
【図６】実施の形態に係る未使用通知メッセージ表示時の画面例および返信メッセージ受信時の画面例を示す図である。
【図７】実施の形態に係る監視対象設定処理を示すフローチャートである。
【図８】実施の形態に係る監視対象設定処理を示すフローチャートである。
【図９】実施の形態に係るアプリケーション監視処理を示すフローチャートである。
【図１０】実施の形態に係る通知受付処理を示すフローチャートである。
【図１１】変更例に係るアプリケーション一覧画面例およびカテゴリ一覧画面例を示す図である。
【発明を実施するための形態】
【００１７】
以下、本発明の実施の形態について、図面を参照して説明する。
【００１８】
図１（ａ）、（ｂ）は、情報端末装置１の外観を示す図である。図１（ａ）は正面図、図１（ｂ）は背面図である。本実施の形態において、情報端末装置１は、タブレット端末である。この他、情報端末装置１は、携帯電話機やノートパソコン等、他の種類の情報端末装置であっても良い。
【００１９】
図１（ａ）、（ｂ）に示す如く、情報端末装置１は、筐体１１と、タッチパネル１２と、フロントカメラ１３と、操作キー１４と、入出力端子１５と、リアカメラ１６とを備える。
【００２０】
タッチパネル１２は、液晶表示装置１２ａ（図２参照）の表示面上に、指によるタッチ入力を検出するための透明なタッチパッド１２ｂ（図２参照）が重ねられた構成となっている。液晶表示装置１２ａには、各種の画像が表示される。液晶表示装置１２ａは、液晶パネルと、液晶パネルを照明するＬＥＤバックライトを含む。タッチパッド１２ｂは、静電容量式、感圧式、光検出式等、種々の方式のタッチパッドが用いられ得る。
【００２１】
フロントカメラ１３は、タッチパネル１２の表示面に対向する領域を撮像する。タッチパネル１２に表示された画像を参照する使用者の顔が、フロントカメラ１３によって撮像される。操作キー１４は、電源キー等のハードキーを含み、筐体１１の右側面に配置される。入出力端子１５は、電源端子等の端子を含み、筐体１１の左側面に配置される。リアカメラ１６は、情報端末装置１の背面側の風景等を撮像する際に用いられる。
【００２２】
図２は、情報端末装置１と配信サーバ３の構成を示すブロック図である。
【００２３】
図２に示す如く、情報端末装置１は、操作入力部２１と、表示部２２と、スピーカー２３と、撮像部２４と、電源供給部２５と、二次電池２６と、無線通信部２７と、制御部２８とを備える。
【００２４】
操作入力部２１は、図１に示すタッチパネル１２のタッチパッド１２ｂと、操作キー１４とを含む。表示部２２は、図１に示すタッチパネル１２の液晶表示装置１２ａを含む。スピーカー２３は、図１に示す筐体１１内に収容されている。撮像部２４は、図１に示すフロントカメラ１３とリアカメラ１６とを含む。電源供給部２５は、二次電池２６の充電状態を監視し、入出力端子１５に接続された商用電源を二次電池２６に供給する。これにより、二次電池２６が充電される。
【００２５】
無線通信部２７は、電波を送受信するアンテナや、送受信の際に信号を変調および復調する回路等を含む。無線通信部２７は、制御部２８から入力される通信のための信号を無線信号に変換し、変換された無線信号を、アンテナを介して基地局や他の通信装置等の通信先へ送信する。さらに、無線通信部２７は、アンテナを介して受信した無線信号を制御部２８が利用できる形式の信号へ変換し、変換した信号を制御部２８へ出力する。
【００２６】
制御部２８は、ＣＰＵ（Central Processing Unit）と、メモリ等の記憶部２８ａとを含み、記憶部２８ａに保持されたプログラムに従って各部を制御する。記憶部２８ａは、制御用のプログラムを保持する他、制御部２８による制御の際のワーク領域としても利用される。記憶部２８ａに保持されたプログラムによって、制御部２８に、アプリケーション実行部２８ｂと、監視対象設定部２８ｃと、アプリケーション監視部２８ｄと、未使用通知部２８ｅと、通知受付部２８ｆの機能が付与される。
【００２７】
記憶部２８ａには、監視対象管理テーブルＴａと、個体識別番号管理テーブルＴｂが記憶されている。
【００２８】
図３（ａ）は、監視対象管理テーブルＴａの構成を示す図、個体識別番号管理テーブルＴｂの構成を示す図である。
【００２９】
図３（ａ）を参照して、監視対象管理テーブルＴａには、監視対象のアプリケーション名と監視対象のアプリケーションが起動したときに通知する関係者の名前と監視対象のアプリケーションが未使用であると判定される未使用時間が対応付けられて格納されている。通知先の欄には、複数の通知先の相手が格納され得る。
【００３０】
図３（ｂ）を参照して、個体識別番号管理テーブルＴｂには、通知先の関係者の名前と通知先関係者の情報端末装置１の個体識別番号が対応付けられて格納されている。個体識別番号は、利用者および各関係者の情報端末装置１を識別可能な固有な番号である。なお、個体識別番号管理テーブルＴｂは、設定アプリケーションにより設定が可能となっていても良いし、電話帳などの連絡先管理アプリケーションと連携することにより自動的に設定されても良い。
【００３１】
アプリケーション実行部２８ｂは、記憶部２８ａに記憶されたメール、ウェブブラウザ、教材、ゲーム等の各種アプリケーションの機能を実行する。アプリケーション実行部２８ｂは、一部のアプリケーションの利用を制限することが可能なモードと、すべてのアプリケーションが利用可能なモードを切り替える機能を有している。本実施の形態では、一部のアプリケーションの利用が制限されたモードを「子モード」、すべてのアプリケーションが利用可能なモードを「親モード」と称する。アプリケーション実行部２８ｂには、子モードから親モードに切り替える際にパスワードや指紋認証等が必要なアクセス制御の機能が設けられている。
【００３２】
監視対象設定部２８ｃは、記憶部２８ａに記憶された各種アプリケーションの一覧を液晶表示装置１２ａに表示する。監視対象設定部２８ｃは、使用者からの入力操作に応じて、各種アプリケーションと関係者の名前を対応付けて監視対象管理テーブルＴａに記憶させる。
【００３３】
アプリケーション監視部２８ｄは、監視対象設定部２８ｃにより設定されたアプリケーションの利用状況を監視する。以下、監視対象設定部２８ｃにより監視対象に設定されたアプリケーションを「監視対象アプリケーション」と称する。監視対象アプリケーションが未使用であることが検知されると、未使用通知部２８ｅは、監視対象アプリケーションに対応付けられた個体識別番号とともに監視対象アプリケーションの利用が未使用である旨を通知する未使用通知メッセージを配信サーバ３宛に送信する。これにより、個体識別番号と未使用通知メッセージは、基地局や他の通信装置を介して、配信サーバ３の通信部３１に送信される。通知受付部２８ｆは、配信サーバ３から送信された未使用通知メッセージを受け取り、表示部２２に未使用通知メッセージを表示させる。通知受付部２８ｆは、未使用通知メッセージを表示させた後、未使用通知メッセージの送信と同様にして、通知元に返信メッセージを送信する。
【００３４】
配信サーバ３は、通信部３１と、制御部３２を含む。
【００３５】
通信部３１は、外部の通信装置とインターネット等の広域通信網を介して接続されている。通信部３１は、外部の通信装置を介して受信した信号を制御部３２が利用できる形式の信号へ変換し、変換した信号を制御部３２へ出力する。
【００３６】
制御部３２は、ＣＰＵと、メモリ等の記憶部とを含み、記憶部に保持されたプログラムに従って各部を制御する。記憶部は、制御用のプログラムを保持する他、制御部３２による制御の際のワーク領域としても利用される。記憶部に保持されたプログラムによって、利用者の情報端末装置１から受信した未使用通知メッセージを個体識別番号に対応する関係者の情報端末装置１に配信する。
【００３７】
たとえば、情報端末装置１が教育用端末の場合、親は、子供の学習アプリケーションの未使用状況を把握したいことがある。
【００３８】
本実施の形態では、監視対象設定部２８ｃにより、監視対象アプリケーションに学習アプリケーションが設定される。
【００３９】
図４（ａ）は、親モードのホーム画面例を示す図である。図４（ｂ）は、子モードのホーム画面例を示す図である。図４（ｃ）は、ゲーム画面例を示す図である。
【００４０】
図４（ａ）、（ｂ）を参照して、ホーム画面の右上隅には、現在のモードを示すモードアイコンＭが表示されている。図４（ａ）のホーム画面では、子の部分がグレーアウトされており親モードであることを示している。図４（ｂ）のホーム画面では、親の部分がグレーアウトされており子モードであることを示している。なお、モードアイコンＭは、一例であり、アイコンの形状、場所は適宜変更され得る。また、ホーム画面においてモードアイコンＭが表示されていなくても良い。
【００４１】
また、ホーム画面には、各種のアプリケーションを起動するための起動用アイコンＨが含まれる。起動用アイコンＨには、たとえば、ブラウザアイコンＨ１、メールアイコンＨ２、ノートアイコンＨ３、学習アイコンＨ４、Ｈ５、ゲームアイコンＨ６等が含まれる。図４（ａ）に示す親モードのホーム画面のみ、監視設定アイコンＨ７が含まれている。
【００４２】
親は、子供のアプリケーションの未使用状況を把握するため、ホーム画面の監視設定アイコンＨ７をタップする。これにより、図５（ａ）に示すアプリケーション一覧画面が表示される。
【００４３】
図５（ａ）〜（ｃ）は、アプリケーション一覧画面例を示す図である。
【００４４】
図５（ａ）を参照して、アプリケーション一覧画面には、各種アプリケーションの名称Ａｎと、未使用時間Ａｔと、通知先Ａｓの一覧が含まれている。たとえば、アプリケーションに、未使用時間が設定されていない場合、０：００が表示され、通知先Ａｓが設定されていない場合、なしが表示される。親は、子供によるアプリケーションの未使用状況を通知したいアプリケーションの名称Ａｎが記載されている欄をタップする。たとえば、学習Ａのアプリケーションの欄をタップする。これにより、図５（ｂ）に示すように、通知先設定ダイアログＳが表示される。
【００４５】
図５（ｂ）を参照して、通知先設定ダイアログＳには、通知先設定メッセージＳ１と、通知先設定チェックボックスＳ２と、未使用時間設定ボックスＳ３と、追加ボタンＳ４と、キャンセルボタンＳ５が含まれる。通知先設定メッセージＳ１は、監視対象アプリケーション名と、監視対象アプリケーションの未使用時に通知する通知先と、未使用時間を設定する旨のメッセージを含む。通知先設定チェックボックスＳ２の隣には、記憶部２８ａに記憶された情報端末装置１の利用者の関係者の名前が表示される。通知先設定チェックボックスＳ２がタップされると、チェックアイコンが表示される。チェックアイコンが表示された通知先設定チェックボックスＳ２がタップされると、チェックアイコンが外される。図５（ｂ）では、母親の欄の通知先設定チェックボックスＳ２にチェックアイコンが表示されている。
【００４６】
未使用時間設定ボックスＳ３には、監視対象アプリケーションが未使用であると判定される未使用時間が表示されている。未使用時間設定ボックスＳ３がタップされると、ソフトウェアキーボードなどが起動されて親により監視対象アプリケーションの未使用時間が入力される。図５（ｂ）では、未使用時間設定ボックスＳ３には２４：００が表示されている。
【００４７】
追加ボタンＳ４がタップされると、アプリケーションの名称に対応付けられて、チェックアイコンが表示された関係者の名前が記憶部２８ａの監視対象管理テーブルＴａに記憶される。キャンセルボタンＳ５がタップされると、チェックアイコンの変更があったとしても、通知先設定を行わず、通知先設定ダイアログＳが閉じられる。そして、図５（ｃ）に示すように、アプリケーション一覧画面が表示される。図５（ｂ）に示すように、母親の欄の通知先設定チェックボックスＳ２にチェックアイコンが表示された状態で追加ボタンＳ４がタップされた場合、図５（ｃ）のアプリケーション一覧画面では、学習Ａのアプリケーションの通知先Ａｓの欄に母親の名前が表示され、未使用時間Ａｔの欄には、２４：００が表示される。図５（ｂ）に示す通知先設定ダイアログＳにおいて、複数の通知先設定チェックボックスＳ２にチェックアイコンが表示されていた場合、図５（ｃ）のアプリケーション一覧画面では、複数の関係者の名前が表示される。
【００４８】
図４（ｂ）に戻り、子供は、子モードのホーム画面において、ゲームアイコンＨ６をタップする。これにより、図４（ｃ）に示すゲーム画面が表示される。その後、監視対象アプリケーションの通知設定がされてから、監視対象アプリケーションの未使用状態のまま、設定された未使用時間が超過すると、未使用通知部２８ｅにより、あらかじめ設定された関係者宛に未使用通知メッセージが送信される。図５（ｂ）に示すように、通知先に母親が設定されている場合、母親の情報端末装置１宛に未使用通知メッセージが送信される。
【００４９】
図６（ａ）は、未使用通知メッセージ表示時の画面例を示す図である。図６（ｂ）は、返信メッセージ受信時の画面例を示す図である。
【００５０】
図６（ａ）を参照して、利用者が監視対象アプリケーションの未使用時間が超過し、未使用通知メッセージが送信されると、関係者の情報端末装置１の通知受付部２８ｆ（図２参照）は、未使用通知メッセージを受信する。これにより、図６（ａ）に示すように、関係者の情報端末装置１のホーム画面に未使用通知ダイアログＴが表示される。
【００５１】
未使用通知ダイアログＴには、未使用通知メッセージＴ１と、ＯＫボタンＴ２と、キャンセルボタンＴ３が含まれる。未使用通知メッセージＴ１は、通知があった情報端末装置１の利用者の名前と、利用者が監視対象アプリケーションを未使用である旨のメッセージと、利用者にメッセージを送信するか否かを確認するメッセージを含む。ＯＫボタンＴ２がタップされると、あらかじめ、記憶部２８ａに設定された監視対象アプリケーションの利用を促すメッセージが送信される。これにより、図４（ｂ）に示すように、利用者の情報端末装置１の画面にメッセージ受信ダイアログＵが表示される。メッセージ受信ダイアログＵには、関係者からメッセージが受信したことを示すメッセージを含む。キャンセルボタンＴ３がタップされると、未使用通知ダイアログＴが閉じられ、図４（ａ）に示すホーム画面に戻る。
【００５２】
このように、利用者の情報端末装置１において学習アプリケーションの未使用状況が継続すると、関係者の情報端末装置１に未使用通知メッセージが表示されるため、関係者は、利用者の学習アプリケーションの未使用状況を把握することができる。
【００５３】
図７、８は、監視対象設定処理を示すフローチャートである。図７、８に示す処理は、図４（ａ）に示す監視設定アイコンＨ７に対するタップ操作により開始される。図７、８に示す処理は、図２に示す制御部２８の監視対象設定部２８ｃの機能により実行される。
【００５４】
図７を参照して、制御部２８は、親モードであるか否かを判定する（Ｓ１０１）。親モードでない場合（Ｓ１０１：ＮＯ）、制御部２８は、アプリケーション一覧画面を表示させず、処理を終了する。親モードの場合（Ｓ１０１：ＹＥＳ）、制御部２８は、液晶表示装置１２ａにアプリケーション一覧画面を表示させる（Ｓ１０２）。これにより、図５（ａ）に示すようにアプリケーション一覧画面が表示される。そして、制御部２８は、アプリケーションが選択されたか否かを判定する（Ｓ１０３）。具体的には、図５（ａ）に示すようにアプリケーションの名称Ａｎがタップされたか否かが判定される。アプリケーションが選択されていない場合（Ｓ１０３：ＮＯ）、制御部２８は、アプリケーションが選択されるまで（Ｓ１０３：ＹＥＳ）、処理Ｓ１０３を繰り返す。アプリケーションが選択されると（Ｓ１０３：ＹＥＳ）、制御部２８は、液晶表示装置１２ａに通知先設定ダイアログＳを表示させる（Ｓ１０４）。これにより、図５（ｂ）に示すように通知先設定ダイアログＳが表示される。そして、制御部２８は、図８に示す未使用通知設定処理を実行する（Ｓ１０５）。
【００５５】
図８を参照して、通知先設定ダイアログＳが表示されるとキャンセルボタンＳ５がタップされたか否かを判定する（Ｓ１１１）。キャンセルボタンＳ５がタップされていない場合（Ｓ１１１：ＮＯ）、通知先設定チェックボックスＳ２がタップされたか否かを判定する（Ｓ１１２）。通知先設定チェックボックスＳ２がタップされていない場合（Ｓ１１２：ＮＯ）、制御部２８は、未使用時間設定ボックスＳ３がタップされたか否かを判定する（Ｓ１１３）。未使用時間設定ボックスＳ３がタップされていない場合（Ｓ１１３：ＮＯ）、制御部２８は、追加ボタンＳ４がタップされたか否かを判定する（Ｓ１１４）。追加ボタンＳ４がタップされていない場合（Ｓ１１４：ＮＯ）、制御部２８は、処理をＳ１１１に戻し、処理Ｓ１１１〜Ｓ１１４を繰り返す。
【００５６】
キャンセルボタンＳ５がタップされると（Ｓ１１１：ＹＥＳ）、制御部２８は、通知先設定ダイアログＳを閉じる（Ｓ１１５）。その後、制御部２８は、処理を図７に示すＳ１０３に戻し、アプリケーション一覧画面において、再度アプリケーションが選択される否かを判定する（Ｓ１０３）。
【００５７】
通知先設定チェックボックスＳ２がタップされると（Ｓ１１２：ＹＥＳ）、制御部２８は、タップされた位置の通知先設定チェックボックスＳ２のチェックアイコンを更新する（Ｓ１１６）。具体的には、チェックアイコンが表示されていない場合、チェックアイコンを表示させ、チェックアイコンがすでに表示されている場合は、チェックアイコンを消す。その後、制御部２８は、処理をＳ１１１に戻す。
【００５８】
未使用時間設定ボックスＳ３がタップされると（Ｓ１１３：ＹＥＳ）、制御部２８は、ソフトウェアキーボード等を表示し、利用者から入力された未使用時間を更新する（Ｓ１１７）。その後、制御部２８は、処理をＳ１１１に戻す。
【００５９】
追加ボタンＳ４がタップされると（Ｓ１１４：ＹＥＳ）、制御部２８は、Ｓ１０３にて選択されたアプリケーション名と、通知先設定チェックボックスＳ２にチェックアイコンが表示されている関係者の名前と、未使用時間設定ボックスＳ３に設定された未使用時間を対応づけて監視対象管理テーブルＴａに記憶する（Ｓ１１８）。
【００６０】
図７に戻り、制御部２８は、通知先設定ダイアログＳを閉じる（Ｓ１０６）。そして、制御部２８は、監視対象設定処理を終了する。
【００６１】
図９は、アプリケーション監視処理を示すフローチャートである。図９に示す処理は、監視対象アプリケーションが設定されることにより開始される。図９に示す処理は、図２に示す制御部２８のアプリケーション監視部２８ｄ、未使用通知部２８ｅの機能により実行される。
【００６２】
図９を参照して、制御部２８は、監視対象アプリケーションの未使用時間を計測するためのタイマーを開始する（Ｓ２０１）。制御部２８は、監視対象管理テーブルＴａから監視対象アプリケーションに対応する未使用時間を読み出す（Ｓ２０２）。そして、制御部２８は、監視対象アプリケーションが未使用であるか否かを判定する（Ｓ２０３）。具体的には、監視対象管理テーブルＴａに通知先が設定されているアプリケーション名と同じアプリケーション名が起動しているか否かが判定される。
【００６３】
監視対象アプリケーションが未使用の場合（Ｓ２０３：ＹＥＳ）、制御部２８は、タイマーの経過時間が監視対象アプリケーションの未使用時間を超えるか否かを判定する（Ｓ２０４）。タイマーの経過時間が監視対象アプリケーションの未使用時間以下の場合（Ｓ２０４：ＮＯ）、制御部２８は、処理をＳ２０３に戻す。タイマーの経過時間が監視対象アプリケーションの未使用時間を超えた場合（Ｓ２０４：ＹＥＳ）、制御部２８は、監視対象管理テーブルＴａから監視対象アプリケーションに対応する通知先を読み出す（Ｓ２０５）。制御部２８は、読み出した通知先宛に未使用通知メッセージを送信する（Ｓ２０６）。
【００６４】
監視対象アプリケーションが使用中の場合（Ｓ２０３：ＮＯ）、または、タイマーの経過時間が監視対象アプリケーションの未使用時間を超えた場合（Ｓ２０４：ＹＥＳ）、制御部２８は、タイマーの経過時間をリセットする（Ｓ２０７）。そして、制御部２８は、監視終了するか否かを判定する（Ｓ２０８）。監視終了タイミングは、たとえば、監視対象アプリケーションの通知先設定が削除された場合などが挙げられる。監視終了でない場合（Ｓ２０８：ＮＯ）、制御部２８は、処理をＳ２０３に戻し、監視対象アプリケーションが未使用状況を監視する（Ｓ２０３）。監視終了する場合（Ｓ２０８：ＹＥＳ）、制御部２８は、タイマーをストップし（Ｓ２０９）、アプリケーション監視処理を終了する。
【００６５】
図１０は、通知受付処理を示すフローチャートである。図１０に示す処理は、情報端末装置１が起動されることにより開始される。図１０に示す処理は、図２に示す制御部２８の通知受付部２８ｆの機能により実行される。
【００６６】
図１０を参照して、制御部２８は、未使用通知メッセージを受信したか否かを判定する（Ｓ３０１）。未使用通知メッセージを受信していない場合（Ｓ３０１：ＮＯ）、制御部２８は、未使用通知メッセージを受信するまでＳ３０１の処理を繰り返す。未使用通知メッセージを受信すると（Ｓ３０１：ＹＥＳ）、制御部２８は、液晶表示装置１２ａに未使用通知ダイアログＴを表示させる（Ｓ３０２）。これにより、図６（ａ）に示すように未使用通知ダイアログＴが表示される。
【００６７】
制御部２８は、キャンセルボタンＴ３がタップされたか否かを判定する（Ｓ３０３）。キャンセルボタンＴ３がタップされていない場合（Ｓ３０３：ＮＯ）、制御部２８は、ＯＫボタンＴ２がタップされたか否かを判定する（Ｓ３０４）。ＯＫボタンＴ２がタップされていない場合（Ｓ３０４：ＮＯ）、制御部２８は、処理をＳ３０３に戻す。キャンセルボタンＴ３がタップされた場合（Ｓ３０３：ＹＥＳ）、制御部２８は、未使用通知ダイアログＴを閉じる（Ｓ３０５）。ＯＫボタンＴ２がタップされた場合（Ｓ３０４：ＹＥＳ）、制御部２８は、未使用通知ダイアログＴを閉じ（Ｓ３０６）、通知元に返信メッセージを送信する（Ｓ３０７）。返信メッセージの内容は、あらかじめ、記憶部２８ａに設定された所定のメッセージが利用される。こうして、制御部２８は、通知受付処理を終了する。
【００６８】
＜実施形態の効果＞
以上、本実施の形態によれば、以下の効果が奏される。
【００６９】
図６（ａ）に示すように、子供が学習アプリケーションを長時間未使用であることが通知先に通知されるため、通知先として登録された情報端末装置１を所有する親は子供が学習アプリケーションを未使用であることを知ることができる。したがって、親は、子供の学習状況を把握することができ、子供に学習アプリケーションの利用を促すなどの対処ができる。
【００７０】
また、図６（ａ）に示すように、親が所有する情報端末装置１とは他の情報端末装置１を子供が所有し、子供が所有する情報端末装置１における学習アプリケーションを長時間未使用であると、親の情報端末装置１の液晶表示装置１２ａに未使用通知ダイアログＴが表示される。このため、親は、子供が学習アプリケーションを未使用であることを円滑に知ることができる。たとえば、未使用時間を非常に短い時間に設定しておけば、子供が学習アプリケーションの利用を中止したことをすぐに知ることができる。
【００７１】
また、図６（ａ）に示すように、未使用通知ダイアログＴには、返信メッセージの送信を確認する未使用通知メッセージＴ１とＯＫボタンＴ２が配されており、ＯＫボタンＴ２をタップすることにより、返信メッセージが送信される。このように、円滑に返信メッセージを送信することができるため、親は、子供に対して、円滑に、学習アプリケーションの利用を促すことができる。
【００７２】
また、図５（ａ）〜（ｃ）に示すように、アプリケーション一覧画面からアプリケーションを選択し、通知先を選択することにより、監視対象アプリケーションの通知先を変更することができる。これにより、学習アプリケーションの種類や重要度に応じて、通知先を変更することによって、子供の学習状況を適切に管理することができる。
【００７３】
また、図５（ｂ）に示すように、１つの監視対象アプリケーションに対して、複数の通知先を設定することができる。これにより、家族や複数の友人といったグループにおいて監視対象アプリケーションの利用状況をすることができ、監視対象アプリケーションの未使用状況を効率良く管理することができる。
【００７４】
以上、本発明の実施の形態および変更例について説明したが、本発明は上記実施の形態および変更例に何ら制限されるものではない。
【００７５】
たとえば、上記実施の形態では、図５（ｂ）に示すように、通知先設定ダイアログＳには、関係者の名前が一人ずつ選択可能な通知先設定チェックボックスＳ２が配されたが、図１１（ａ）に示すように、複数の関係者から構成されるグループが選択可能な通知先設定チェックボックスＳ６が配されていても良い。この場合、グループ単位で通知先を設定することができるため、複数人に対する通知先の設定を効率良く行うことができる。
【００７６】
また、上記実施の形態では、図５（ｂ）に示すように、通知先の設定は、通知先設定チェックボックスＳ２のチェックアイコンの表示有無によってなされたが、これに限られない。たとえば、コンボボックスによる選択によって通知先が設定されても良いし、テキストボックスによって通知先が入力されても良い。この他、通知先の設定にかかるユーザインターフェースは、適宜変更され得る。
【００７７】
また、上記実施の形態では、図５（ａ）に示すようにアプリケーションごとに通知先が設定されたが、図１１（ｂ）に示すようにアプリケーションのカテゴリが設定され、カテゴリごとに通知先が設定されても良い。
【００７８】
図１１（ｂ）を参照して、カテゴリ一覧画面には、カテゴリの名称Ｃｎと、各種アプリケーションの名称Ｃａと、未使用時間Ｃｔと、通知先Ｃｓの一覧が含まれている。図１１（ｂ）の画面例では、カテゴリの名称Ｃｎは、教育カテゴリとゲームカテゴリが含まれている。各カテゴリには、それぞれのカテゴリに属するアプリケーションの名称Ｃａが含まれる。通知先Ｃｓと未使用時間Ｃｔは、カテゴリごとに１つ表示されている。なお、図１１（ｂ）に示す画面例では、カテゴリ分けされた画面のみが表示されたが、カテゴリ一覧画面には、各アプリケーションのカテゴリ分けを変更可能なインターフェースが含まれていても良い。親は、子供によるアプリケーションの未使用状況を通知したいカテゴリの名称Ｃｎが記載されている欄をタップする。たとえば、教育カテゴリの欄をタップする。これにより、図５（ｂ）に示すように、通知先設定ダイアログＳが表示され、上記実施の形態と同様にして、通知先が設定される。
【００７９】
本変更例によれば、同一カテゴリに含まれる複数のアプリケーションに対して一括して通知先を設定することができる。これにより、通知先の設定の手間を省くことができる。
【００８０】
また、上記実施の形態では、監視対象アプリケーションとは別に、制御部２８にアプリケーション監視部２８ｄの機能が付与されたが、監視対象アプリケーションの一部としてアプリケーション監視部２８ｄの機能が組み込まれていても良い。
【００８１】
また、上記実施の形態では、図２に示すように、未使用通知部２８ｅによって未使用通知メッセージが配信サーバ３を介して送信され、通知受付部２８ｆの処理により未使用通知ダイアログＴが表示されたが、監視対象アプリケーションの未使用状況を通知する手段はこれに限られない。たとえば、ＳＭＳや電子メールなどのメッセージングシステムが用いられても良いし、Ｐ２Ｐ（Peer to Peer）通信により、配信サーバ３を介さずに情報端末装置１同士で通信が行われても良い。また、通知受付部２８ｆによる返信メッセージの送信についても同様に、適宜変更可能である。
【００８２】
また、上記実施の形態では、図６（ａ）に示すように、未使用通知ダイアログＴのＯＫボタンＴ２がタップされることにより、返信メッセージが送信されたが、自動的に送信されても良い。
【００８３】
また、上記実施の形態では、返信メッセージの内容は、あらかじめ、記憶部２８ａに記憶された内容が利用されたが、所定のユーザインターフェースによって利用者によって入力されても良い。
【００８４】
また、上記実施の形態では、監視対象アプリケーションが起動されているか否かによって、監視対象アプリケーションが未使用であるかが判定されたが、監視対象アプリケーションに一定時間操作が行われていない場合に、監視対象アプリケーションが未使用であると判定されても良い。
【００８５】
また、上記実施の形態では、監視対象アプリケーションに学習アプリケーションが設定されたが、その他のアプリケーションが設定されても良い。また、通知先についても、適宜変更することができる。未使用状況を共有することが有効なアプリケーション、通知先に適宜変更することができる。
【００８６】
また、上記実施の形態では、親モード、子モードが設けられたが、これらのモードが設けられていなくても良い。この場合、図６のＳ１０１の判定処理は、パスワードや指紋認証等の所定のアクセス制御手段に変更され得る。
【００８７】
また、上記実施の形態および変更例に示したアプリケーションおよび画面例は、一例であり、適宜、アプリケーションおよび画面例であれば適宜変更可能である。
【００８８】
この他、本発明の実施の形態は、特許請求の範囲に示された技術的思想の範囲内において、適宜、種々の変更が可能である。
【符号の説明】
【００８９】
１  …  情報端末装置
１２ａ  …  液晶表示装置
２２  …  表示部
２７  …  無線通信部
２８  …  制御部
２８ｂ  …  アプリケーション実行部
２８ｃ  …  監視対象設定部
２８ｄ  …  アプリケーション監視部
２８ｅ  …  未使用通知部
２８ｆ  …  通知受付部
３    …  配信サーバ
【図１】
2016091339.tif 000003
【図２】
2016091339.tif 000004
【図３】
2016091339.tif 000005
【図４】
2016091339.tif 000006
【図５】
2016091339.tif 000007
【図６】
2016091339.tif 000008
【図７】
2016091339.tif 000009
【図８】
2016091339.tif 000010
【図９】
2016091339.tif 000011
【図１０】
2016091339.tif 000012
【図１１】
2016091339.tif 000013